(57)【要約】【課題】遊園地などにある大空間を利用した或る物語を題材とした立体的な演出場面を構築し、この中の循環軌道を連結した客車が回遊する設備は、一旦設置すると長期に亘り存続させるので陳腐化しても容易に場面を入れ替えることが困難であり、この種の施設の演出場面を簡易に変更できるような新しい演出方法の出現が望まれている。【解決方法】この発明は従来の大空間に演出場面を構築する表現方法とは異なり循環軌道上を連結して走行する各客車内に映像装置を設け各種の演出場面を収録した記憶媒体から希望する演出場面を選び客室に上映すると共に演出場面の情景に同調して客席が搖動する演出方法としたもので多種類の演出場面を簡易に選ぶことができ費用も低廉で従来の演出方法に比較して、著しく改善され課題の解決をはかることができる発明である。【選択図】図１
2004049837.tif 000002
【特許請求の範囲】
【請求項１】
循環軌道上を多数の客車が連鎖状に連結して連続走行している各客車毎に映像のディスプレー装置と映像の情景に同調して客室を搖動させる装置とこれらの装置を作動させる信号再生装置を装備してあり、各客車に対して記憶媒体に集録されている各種の演出場面を任意に選択が可能で再生指示機能を有する操作盤からの指示によって指定した客車に指定時刻に一定時間選択した種目の映像を再生上映すると共に同調して客室を搖動させる制御装置を設けた連続循環走行映像客車設備。
【請求項２】
連続走行中の各客車向けに選択した映像および音声信号とこれと同調する客室搖動信号を各客車が受信し映像および音声を再生すると共に客車の進行方向に対して客室を前後、左右、斜め等の搖動を複合して自動的に作動させる制御装置を装備した連続循環走行映像客車装置。
【発明の詳細な説明】
【０００１】
【発明の属する技術分野】
この発明は遊園地や博覧会などに設置されている循環式軌道の周辺に演出展示場面を作り、その軌道上を多数連結した連鎖状の走行客車が連続的に走行して演出展示場面を観覧しながら回遊する遊戯施設の技術分野に属するものである。
【０００２】
【従来の技術】
従来この種の遊戯施設に関する技術は或る物語などを題材として演出場面をこのストーリーに従って制作し配置する技術と、この演出場面を効果的に観覧できるような場所を選定して循環式軌道を配置し連結客車を連続的に走行させる技術を組合せた複合的な技術で構成され、更に演出場面には照明や音声の技術を加味して演出効果や臨場感を高めるような技術が付加されている。
【０００３】
【発明が解決しようとす課題】
この種の施設は屋外又は屋内の大空間を利用して例えば或る物語などを題材として立体的な演出場面を物語りの進行順序に従って配置すると共にこれに沿って循環式軌道を敷設してその軌道上を多数連鎖状に連結した走行客車が連続的に回遊して演出場面の観覧を楽しむ施設であるが施設全体は規模が大きくなり一旦設置すると長期に亘りこの演出場面を存続させるため評価が下がってもそのまま放置されることが多く、又改良する場合には多額の投資が必要となり企業全体の経営にも影響する場合があるので今後この種の施設は多様化するニーズに対応するため、簡易に入れ換えられる新しい演出場面の表現手法の出現とさらに深い臨場感を提供しうる斬新的な施設の出現が望まれている。
【０００４】
【課題を解決するための手段】
この発明は課題の解決手段として従来のような大空間に敷設した循環式軌道に沿って或る物語の演出場面を立体的に配列展示する表現方法とは異なり軌道上を連鎖状に連結して走行する各客車に映像装置を設けて任意に選択した種目の演出場面を各客車に上映すると共に演出場面の移り変わりに同調して客室を搖動させ演出効果を高め深い臨場感がえられるような設備を提供しようとするものである。
【０００５】
【発明の実施の形態】
【図１】はこの発明にかかわる設備の全体を示した平面図で敷地内又は建物の床面に任意に敷設した循環式の軌道１があって、軌道１の上を連鎖状に多数連結し一体となって連続走行する客車列２があり、プラットホーム３は乗車口３ａと降車口３ｂに区分し乗車口３ａの付近に利用者用の操作盤４が設けてあって利用者は操作盤４に所定の料金を投入して希望する種目の演出場面の映像を指定すると制御盤５によって各種目が収録してある記憶媒体（例えばＤＶＤなど）から種目を選択し、客車番号および指定時刻を登録したチケットが発券され、利用者はチケットの指定に従って客車に乗車すると客車内では再生装置６によってディスプレー装置７に選択した映像が上映されると共に演出場面に対応して客室が前後、左右又は斜めの搖動を開始し客車がコースを一順すると終了する設備であって各客車は一順毎に新しく選択した演出場面の映像の上映と搖動を繰返し連続的に行われるようになっている。
【０００６】
【実施例】
【図２】は客車列２の側面を示した立面図で各客車の客室本体２ａには乗降扉２ｂが設けてあり、室内には座席２ｃとその対面に映像用のディスプレー装置７が装備されている。
【０００７】
【図３】は客車列２の詳細を示した側面の立面図であって客室本体２ａは搖動装置８を介して台枠９に支持され、台枠９には軌道１の形状に追従して走行する車輪装置１０と各客室の台枠９を両端が自在継手となっている連結桿１１によって連結し客車列２を構成している。
【０００８】
客室本体２ａと台枠９とを結合している搖動装置８の構成の一例を【図３】で説明すると、客室本体２ａの底面中心部と台枠９の中心部を上端が球面軸受で下端が台枠９の進行方向と同方向に前後回転が可能な軸受となっているアーム８ａで結合してあり、アーム８ａの中間部に前後方向に伸縮可能で両端が球面軸受となっている前後用アクチエータ８ｂの一端を結合し他端を台枠９の軸受９ａに結合してあって前後用アクチエータ８ｂが伸縮するとアーム８ａは下端の軸受を中心にして前後に回転し客室本体２ａを前後に搖動するようになっている。
【０００９】
アーム８ａを中心とした両側には両端が球面軸受となっている上下用アクチエータ８ｃがそれぞれ客室本体２ａと台枠９との間に取り付けてあり２本の上下用アクチエータ８ｃの内１本のみ又は２本が同時に伸縮するとアーム８ａの頂部にある球面軸受を中心として客室本体２ａは進行方向に対して左右に搖動する。
【００１０】
【図４】は【図３】のＩ−Ｉ線断面を示した立面図で客室本体２ａと台枠９とを結合している搖動装置８を構成している機器類の配置、軌道１と車輪装置１０および客室本体２ａとプラットホーム３の関係を示している。
【００１１】
台枠９の底部には軌道１の進行方向中心線と一致する位置にヒレ状の受動摩擦板１２がありこれを両側から挟んで回転する駆動用摩擦車輪１３が固定側にある減速電動機１４を介して駆動し客車列２を走行させるようになっている。
【００１２】
軌道１の全線に亘って給電用のトロリー線１５が敷設してあり各台枠９に取付けた集電装置１６で受電し各客室に装備した各種の電気装置に給電するものとし、又各客車には信号送受信用アンテナ１７が取付けてある。
【００１３】
【図５】はこの設備全般のシステムをブロック図で示したもので利用者は操作盤４に料金を投入し希望する種目の演出場面をタッチパネルのようなもので選択するとこの信号は制御盤５に入力しあらかじめ各種目の演出場面の音声を含めた映像信号とこれに同調して客室を搖動させる搖動信号を収録した記憶媒体（例えばＤＶＤなど）の中から選択種目をセットし同時に客車を指定しスタート時刻をセットし、スタートすると客車側の再生装置６が始動して連続走行中の指定の客車のディスプレー装置７に映像を上映すると共にこの演出場面に同調して客室を搖動させるシステムで【図１】【図２】【図３】【図４】の各図面はこのシステムの装備を示している。
【００１４】
【図５】は操作盤４が固定側で制御盤５が客車側にあってその間の信号送受信を無線による方法とした例で、操作盤４と制御盤５にはそれぞれ送受信用アンテナ
１７があり【図６】は操作盤４および制御盤５が固定側にあって制御盤５と客車上の再生装置６との間の信号送受信を無線による方法の例示で制御盤５と再生装置６にはそれぞれ送受信用アンテナ１７を設けてある。
【００１５】
【発明の効果】
この発明の設備は循環軌道上を連鎖状に連結して連続走行している各客車毎にいろいろな種目の演出場面が収録してある記憶媒体から選択して演出場面の音声を含めた映像を客室内に上映すると共にこの演出場面に応じて客席が前後、左右、又は斜めの搖動をする設備であって、この映像による演出表現方法は在来の大規模空間に構築した空虚で疑似的な造形物による演出場面の表現では追従し得ない現実的な表現力を有し更に演出の情景に合わせて客席を搖動させるので臨場感が得られ、演出効果を高める特長を有すると共に各種目の映像が施設の構造物に制約を受けることなく簡易に選択できるので経済的であり多様なニーズに巾広く対応し得る画期的な発明である。
【図面の簡単な説明】
【図１】本発明にかかわる設備全体を示した平面図。
【図２】この設備の客車列２の側面を示した立面図。
【図３】客車列２の詳細を示した側面の立面図。
【図４】「図３」のＩ−Ｉ線断面を示した立面図。
【図５】設備全般のシステムを示したブロック図で操作盤４と制御盤５の交信が無線によるものである。
【図６】「図５」と同様なシステムを示したブロック図であるが制御盤５と客車搭載の
再生装置６との交信を無線によるものとしてある。
【符号の説明】
１　　軌道
２　　客車列
２ａ　客室本体
２ｂ　乗降扉
２ｃ　座席
３　　プラットホーム
３ａ　乗車口
３ｂ　降車口
４　　操作盤
５　　制御盤
６　　再生装置
７　　ディスプレー装置
８　　搖動装置
８ａ　アーム
８ｂ　前後用アクチエーター
８ｃ　上下用アクチエーター
９　　台枠
９ａ　軸受
１０　車輪装置
１１　連結桿
１２　受動摩擦板
１３　駆動用摩擦車輪
１４　減速電動機
１５　トロリー線
１６　集電装置
１７　アンテナ
【図１】
2004049837.tif 000003
【図２】
2004049837.tif 000004
【図３】
2004049837.tif 000005
【図４】
2004049837.tif 000006
【図５】
2004049837.tif 000007
【図６】
2004049837.tif 000008